(57)【要約】      （修正有）【課題】防振部及びスイッチ押し込み部の取り付けを安価精密な構造で能率良く行う。【解決手段】シャーシ１上にターンテーブル２と光ピックアップ４とが配置され、該光ピックアップ４のスライドベース４ａがシャーシ１上の主副両軸６，８に移動可能に嵌合され、そのスライドベース４ａに設けた防振部１３の先端が副軸８に押しつけられ、シャーシ１に内周スイッチ１４が配置され、該内周スイッチ１４の感知部１４ａに対向するスイッチ押し込み部１５がスライドベース４ａに設けられており、光ピックアップ４を主副軸６，８に沿ってディスクＤの内周側に移動させ、スライドベース４ａ上のスイッチ押し込み部１５で内周スイッチ１４の感知部１４ａを押し込むことにより最内周位置を検出し、その最内周位置を基準にして光ピックアップ４を往復移動させるように構成し、前記防振部１３とスイッチ押し込み部１５とが板ばねにより一体形成されている。【選択図】図１
2012053934.tif 000002
【特許請求の範囲】
【請求項１】
シャーシ上にターンテーブルと光ピックアップとが配置され、該光ピックアップのスラ
イドベースの一側部に形成したガイド孔がシャーシ上の主軸に移動可能に嵌合されると共
に、該スライドベースの他側部に一体突設したガイド枠がシャーシ上の副軸に移動可能に
嵌合され、そのスライドベースに設けた防振部の先端が副軸に押しつけられ、前記シャー
シに内周スイッチが配置され、該内周スイッチの感知部に対向するスイッチ押し込み部が
スライドベースに設けられており、光ピックアップを主副両軸に沿ってターンテーブル上
のディスクの内周側に移動させ、スイッチ押し込み部で内周スイッチの感知部を押し込む
ことにより最内周位置を検出し、その最内周位置を基準にして光ピックアップを往復移動
させ、該光ピックアップによりディスクに記録されている情報を読み取るようにしたディ
スク装置において、前記防振部とスイッチ押し込み部とが板ばねにより一体形成されてい
ることを特徴とするディスク装置。
【請求項２】
ビス挿通孔及び位置決め孔と位置決め片とを備えた板ばね製共通基板を有し、該共通基
板の両側縁から左右一対の側板が折り曲げられ、その一方の側板の端縁から折れ曲がって
側方に延びる弾性変位可能なアーム部と該アーム部の先端に一体形成した押さえ部とによ
り前記防振部が形成され、前記共通基板の端縁から折れ曲がる端板部によりスイッチ押し
込み部が形成されており、共通基板及び位置決め片をスライドベースに当接させると共に
、前記位置決め孔をスライドベースの位置決め突起に嵌合させ、前記ビス挿通孔を通って
スライドベースのねじ孔にビスをねじ込むことにより、共通基板をスライドベースに位置
決めして止着し、前記前記防振部の押さえ部を副軸に当接させ、前記スイッチ押し込み部
の端板部で内周スイッチの感知部を押し込むようにしたことを特徴とする請求項１に記載
のディスク装置。
【発明の詳細な説明】
【技術分野】
【０００１】
本発明は、例えばＢｌｕ−ｒａｙ  Ｄｉｓｃ式のレコーダ（またはプレーヤ）などのデ
ィスク装置に関し、特に、防振部及びスイッチ押し込み部の取り付けを安価精密な構造で
能率良く行うことができるようにしたものである。
【背景技術】
【０００２】
従来、ディスク装置（Ｂｌｕ−ｒａｙ  Ｄｉｓｃ式のレコーダまたはプレーヤ）として
図７に示すものがあり、これは、シャーシ１上の前部にターンテーブル２付きスピンドル
モータ３が配置されると共に、該シャーシ１の中央に光ピックアップ４が配置され、該光
ピックアップ４のスライドベース４ａの一側部に形成したガイド孔５がシャーシ１上の主
軸６に移動可能に嵌合されると共に、該スライドベース４ａの他側部に一体突設したガイ
ド枠７がシャーシ１上の副軸８に移動可能に嵌合され、フィードモータ９により正逆回転
されるねじ軸１０が主軸６と平行に配置され、該ねじ軸１０にスライドベース４ａの一側
縁に設けた歯部１１が噛合されている。
【０００３】
前記スライドベース４ａに止着した板ばね製防振部１３の先端が副軸８に押しつけられ
ており、スライドベース４ａが主軸６回りで振動されるのを防いでいる。
【０００４】
前記シャーシ１の前部に内周スイッチ１４が配置され、該内周スイッチ１４の感知部１
４ａに対向するスイッチ押し込み部１５がスライドベース４ａに止着されている。
【０００５】
上記構成において、ディスクＤをターンテーブル２にクランプし、スピンドルモータ３
によりターンテーブル２を介してディスクＤを高速回転させ、フィードモータ９によりね
じ軸１０及び歯部１１を介して光ピックアップ４を主副両軸６，８に沿ってディスクＤの
内周側に移動させることにより、スイッチ押し込み部１５の当接面１５ａで内周スイッチ
１４の感知部１４ａを押し込み、その内周スイッチ１４のオン信号に基づいて最内周位置
を検出し、その最内周位置を基準にして光ピックアップ４を往復移動させ、該光ピックア
ップ４によりディスクＤに記録されている情報を読み取る。なお、関連する技術として特
許文献１に記載したものがある。
【先行技術文献】
【特許文献】
【０００６】
【特許文献１】特開平５−１８２３７５号公報
【発明の概要】
【発明が解決しようとする課題】
【０００７】
上記構成では、防振部１３とスイッチ押し込み部１５とが別個に設けられているため、
部品点数が多くてコストアップになっている。
【０００８】
また、防振部１３とスイッチ押し込み部１５とをそれぞれ別個にスライドベース４ａに
位置決めして止着しており、その位置決め及び止着の作業に手間と時間とがかかって面倒
であり、作業能率が低い。
【０００９】
本発明は、上記従来の欠点に鑑み、防振部及びスイッチ押し込み部の取り付けを安価精
密な構造で能率良く行うことができるようにしたディスク装置を提供することを目的とし
ている。
【課題を解決するための手段】
【００１０】
上記目的を達成するため、請求項１に記載の発明は、シャーシ上にターンテーブルと光
ピックアップとが配置され、該光ピックアップのスライドベースの一側部に形成したガイ
ド孔がシャーシ上の主軸に移動可能に嵌合されると共に、該スライドベースの他側部に一
体突設したガイド枠がシャーシ上の副軸に移動可能に嵌合され、そのスライドベースに設
けた防振部の先端が副軸に押しつけられ、前記シャーシに内周スイッチが配置され、該内
周スイッチの感知部に対向するスイッチ押し込み部がスライドベースに設けられており、
光ピックアップを主副両軸に沿ってターンテーブル上のディスクの内周側に移動させ、ス
イッチ押し込み部で内周スイッチの感知部を押し込むことにより最内周位置を検出し、そ
の最内周位置を基準にして光ピックアップを往復移動させ、該光ピックアップによりディ
スクに記録されている情報を読み取るようにしたディスク装置において、前記防振部とス
イッチ押し込み部とが板ばねにより一体形成されていることを特徴としている。
【００１１】
請求項２に記載の発明は、請求項１に記載の発明において、ビス挿通孔及び位置決め孔
と位置決め片とを備えた板ばね製共通基板を有し、該共通基板の両側縁から左右一対の側
板が折り曲げられ、その一方の側板の端縁から折れ曲がって側方に延びる弾性変位可能な
アーム部と該アーム部の先端に一体形成した押さえ部とにより前記防振部が形成され、前
記共通基板の端縁から折れ曲がる端板部によりスイッチ押し込み部が形成されており、共
通基板及び位置決め片をスライドベースに当接させると共に、前記位置決め孔をスライド
ベースの位置決め突起に嵌合させ、前記ビス挿通孔を通ってスライドベースのねじ孔にビ
スをねじ込むことにより、共通基板をスライドベースに位置決めして止着し、前記前記防
振部の押さえ部を副軸に当接させ、前記スイッチ押し込み部の端板部で内周スイッチの感
知部を押し込むようにしたことを特徴としている。
【発明の効果】
【００１２】
請求項１に記載の発明によれば、防振部とスイッチ押し込み部とが板ばねにより一体形
成されているから、従来に比べて部品点数が少なくなり、コストダウンを図ることができ
る。
【００１３】
請求項２に記載の発明によれば、ビス挿通孔及び位置決め孔と位置決め片とを備えた板
ばね製共通基板を介して防振部とスイッチ押し込み部とが一体化されているから、その共
通基板及び位置決め片をスライドベースに当接させると共に、位置決め孔をスライドベー
スの位置決め突起に嵌合させるだけで、防振部及びスイッチ押し込み部を所望通りに位置
決めすることができる。
【００１４】
また、ビス挿通孔を通ってスライドベースのねじ孔にビスをねじ込むことにより、防振
部とスイッチ押し込み部とを同時にスライドベースに止着することができ、その止着作業
を迅速容易に能率良く行なうことができる。
【図面の簡単な説明】
【００１５】
【図１】本発明の実施の一形態であるディスク装置の平面図である。
【図２】同要部の斜視図である。
【図３】（ａ）は同要部の平面図、（ｂ）は同要部の側面図、（ｃ）は同要部の正面図である。
【図４】図３（ａ）のＡ−Ａ矢視図である。
【図５】図３（ａ）のＢ−Ｂ矢視図である。
【図６】同要部の展開図である。
【図７】従来のディスク装置を示す平面図である。
【発明を実施するための形態】
【００１６】
図１〜図６は本発明の実施の一形態であるディスク装置（Ｂｌｕ−ｒａｙ  Ｄｉｓｃ式
のレコーダまたはプレーヤ）の要部を示すものであって、内周スイッチ１４が副軸８に接
近してシャーシ１の前部に配置され、該内周スイッチ１４に対向して板ばねにより一体形
成したスイッチ押し込み部１５と防振部１３とがスライドベース４ａに設けられている。
上記以外の構成は図７に示す構成とほぼ同じであるから、同一部分に同一符号を付してそ
の説明を省略する。
【００１７】
図２〜図６に示すように、板ばね製共通基板１７を有し、該共通基板１７にビス挿通孔
１８及び位置決め孔１９が貫設され、その共通基板１７に形成したコ字状スリットにより
切り残した位置決め片２０を直角に折り曲げて起立させている。
【００１８】
前記ビス挿通孔１８に対向してスライドベース４ａの下面にねじ孔２１が形成され、前
記位置決め孔１９に対向してスライドベース４ａの下面に位置決め突起２２が一体突設さ
れている。
【００１９】
前記共通基板１７の両側縁から左右一対の側板２３，２４が直角に折り曲げられ、その
一方の側板２３から折れ曲がって側方に延びる弾性変位可能なアーム部２５と該アーム部
２５の先端に一体形成した押さえ部２６とにより防振部１３が形成されている。
【００２０】
前記共通基板１７の端縁から直角に折れ曲がる端板部２７によりスイッチ押し込み部１
５が形成され、該端板部２７の両側縁２７ａに左右一対の側板２３，２４の前側縁２３ａ
，２４ａを当接させることにより、その端板部２７を後方から補強している。
【００２１】
前記端板部２７の中央を押し出し成形して突出部２８を形成することにより、該端板部
２７の中央を補強し、その突出部２８の端面が内周スイッチ１４の感知部１４ａに当接す
る当接面２８ａとされている。
【００２２】
取付手順を説明すると、共通基板１７及び位置決め片２０をスライドベース４ａに当接
させると共に、位置決め孔１９を位置決め突起２２に嵌合させることにより、防振部１３
及びスイッチ押し込み部１５を位置決めし、ビス挿通孔１８を通ってスライドベース４ａ
のねじ孔２１にビス２９をねじ込む。これにより、防振部１３の押さえ部２６を副軸８に
弾性的に押し付け、スイッチ押し込み部１５の当接面２８ａを内周スイッチ１４の感知部
１４ａに対向させる。
【００２３】
上記構成によれば、防振部１３とスイッチ押し込み部１５とが板ばねにより一体形成さ
れているから、従来に比べて部品点数が少なくなり、コストダウンを図ることができる。
【００２４】
また、ビス挿通孔１８及び位置決め孔１９と位置決め片２０とを備えた板ばね製共通基
板１７を介して防振部１３とスイッチ押し込み部１５とが一体化されているから、その共
通基板１７及び位置決め片２０をスライドベース４ａに当接させると共に、位置決め孔１
９をスライドベース４ａの位置決め突起２２に嵌合させるだけで、防振部１３及びスイッ
チ押し込み部１５を所望通りに位置決めすることができる。
【００２５】
更に、ビス挿通孔１８を通ってスライドベース４ａのねじ孔２１にビス２９をねじ込む
ことにより、防振部１３とスイッチ押し込み部１５とを同時にスライドベース４ａに止着
することができ、その止着作業を迅速容易に能率良く行なうことができる。
【００２６】
しかも、端板部２７が左右一対の側板２３，２４により後方から補強されると共に、該
端板部２７の中央が突出部２８で補強されているので、該突出部２８の当接面２８ａを主
副両軸６，８の軸心Ｏに対して直交する方向に沿って精密に位置決めして内周スイッチ１
４の感知部１４ａに正対させることができると共に、その当接面２８ａと感知部１４ａと
の間の間隔を精密に設定することができ、内周スイッチ１４のオン信号に基づいて最内周
位置を精密に検出することができる。
【符号の説明】
【００２７】
１          シャーシ
２          ターンテーブル
４          光ピックアップ
４ａ        光ピックアップのスライドベース
５          ガイド孔
６          主軸
７          ガイド枠
８          副軸
１３        防振部
１４        内周スイッチ
１４ａ      内周スイッチの感知部
１５        スイッチ押し込み部
１７        共通基板
１８        ビス挿通孔
１９        位置決め孔
２０        位置決め片
２３，２４  側板
２５        アーム部
２６        押さえ部
２７        端板部
２８ａ      スイッチ押し込み部の当接面
【図１】
2012053934.tif 000003
【図２】
2012053934.tif 000004
【図３】
2012053934.tif 000005
【図４】
2012053934.tif 000006
【図５】
2012053934.tif 000007
【図６】
2012053934.tif 000008
【図７】
2012053934.tif 000009